(57)【要約】  システムは、針およびその針に流体を供給する源を含み得る。システムは、開口部を画定するシースを含み得る。針はシース内にあり得る。針およびシースは空洞を画定し得る。システムは、開位置と閉位置との間で移動可能なガスケットを含み得る。ガスケットは、流体が針から空洞内に出て開口部を経て出るように、シースの端部を流体的に密閉し得る。システムは、シースの端部に近接して隔壁を含むボトルを含み得る。システムは、流体がシースの端部を経て空洞から出るのを可能にするようにガスケットを移動させ、針がシースを越えて延出するようにシースまたは針を移動させ得る移動システムを含み得る。移動システムは、針が隔壁を穿通して流体がボトル内に出るように針またはボトルを移動させ得る。【選択図】図４Ｂ
2021507258.tif 000002
【特許請求の範囲】
【請求項１】
針と、
流体を前記針に供給するように構成されたサンプル源と、
開口部を画定するシース組立体であって、前記針は前記シース組立体内に配置されて、前記針および前記シース組立体は、前記針と前記シース組立体との間に内部空洞を画定する、シース組立体と、
前記シース組立体の第１の端部に対して開位置と閉位置との間で移動可能なガスケットであって、前記ガスケットは、前記シース組立体の前記第１の端部を流体的に密閉するための前記閉位置で設置されて、前記流体が前記針の第１の端部から出て前記内部空洞に入り前記開口部を経て前記内部空洞から出るのを可能にするように構成される、ガスケットと、
前記シース組立体の前記第１の端部に近接して配置されたボトルであって、前記ボトルの内部空洞を流体的に密閉するように構成された隔壁を含む、ボトルと、
前記ボトル、前記シース組立体、前記ガスケット、および前記針の１つ以上に連結された移動システムであって、
前記ガスケットを前記開位置に移動させて流体が前記シース組立体の前記第１の端部を経て前記内部空洞から出るのを可能にすることと、
前記針を前記ボトルおよび前記シース組立体に対して開位置まで移動させるか、または前記ボトルおよび前記シース組立体を前記針に対して開位置まで移動させ、それにより前記針の前記第１の端部が前記シース組立体の前記第１の端部を超えて延出して前記隔壁を穿通し、前記針が前記ボトルの前記内部空洞内に配置されて、前記流体が前記針の前記第１の端部から出て前記ボトルの前記内部空洞内に入るのを可能にすることと
を行うように構成された、移動システムと
を備える、サンプリングシステム。
【請求項２】
前記内部空洞を画定する前記針および前記シース組立体の少なくとも１つの表面は、銀、銅、金、亜鉛、チタン、前述のいずれかの合金、オルガノシラン、四級アンモニウム化合物、フルオロカーボン、パリレン、および光触媒材料の少なくとも１つを含む、防汚材料でコーティングされる、請求項１に記載のサンプリングシステム。
【請求項３】
前記針および前記シース組立体の少なくとも１つに連結された１つ以上の熱源をさらに備え、前記熱源は、前記針および前記シース組立体の少なくとも１つを加熱するように構成される、請求項１に記載のサンプリングシステム。
【請求項４】
前記ガスケットは、銀、銅、金、亜鉛、チタン、前述のいずれかの合金、オルガノシラン、四級アンモニウム化合物、フルオロカーボン、パリレン、および光触媒材料の少なくとも１つを含む防汚材料を注入されるポリマーガスケットを含む、請求項１に記載のサンプリングシステム。
【請求項５】
前記隔壁の面法線は、重力の方向と平行ではなく、傾斜して配向される、請求項１に記載のサンプリングシステム。
【請求項６】
前記隔壁の前記面法線が配向される前記角度は、重力の方向に対して３０〜６０度の間の範囲である、請求項５に記載のサンプリングシステム。
【請求項７】
前記開口部は、重力の方向に対して前記針の前記第１の端部の上側に配置される、請求項５に記載のサンプリングシステム。
【請求項８】
前記内部空洞内に光を放出するように位置付けられた光源をさらに備え、前記光は、前記内部空洞内で細菌の成長を阻止するように構成される、請求項１に記載のサンプリングシステム。
【請求項９】
前記光源は光パイプであり、前記光は紫外線（ＵＶ）光である、請求項８に記載のサンプリングシステム。
【請求項１０】
前記サンプリングシステムは、前記シース組立体の第２の端部を流体的に密閉するように構成されたＯリングをさらに備える、請求項１に記載のサンプリングシステム。
【請求項１１】
前記移動システムは、前記ボトルが前記針から前記流体の一部を採取した後、以下、
前記針を前記ボトルおよび前記シース組立体に対して移動させるか、または前記ボトルおよび前記シース組立体を前記針に対して移動させ、それにより前記針の前記第１の端部が前記ボトルの外部に位置付けられることと、
前記針を前記シース組立体に対して移動させるか、または前記シース組立体を前記針に対して移動させ、それにより前記針の前記第１の端部が前記シース組立体内に配置されることと、
前記ガスケットを前記閉位置に移動させて前記シース組立体の前記第１の端部を流体的に密閉することと
を実行するようにさらに構成される、請求項１に記載のサンプリングシステム。
【請求項１２】
前記移動システムは、前記ガスケットを前記開位置に移動させて流体が前記内部空洞から前記シース組立体の前記第１の端部を経て出るのを可能にするように構成されたコンタクタプレートを備える、請求項１１に記載のサンプリングシステム。
【請求項１３】
前記移動システムは、前記ボトルを前記コンタクタプレートに接触するように移動させて、前記コンタクタプレートが前記ガスケットを前記開位置に移動させるのを可能にするようにさらに構成される、請求項１２に記載のサンプリングシステム。
【請求項１４】
前記移動システムは、リターンプレートをおよびスプリングをさらに備え、前記リターンプレートおよび前記スプリングは前記ガスケットを前記閉位置に位置付けて、前記シース組立体の前記第１の端部を流体的に密閉するように構成される、請求項１２に記載のサンプリングシステム。
【請求項１５】
前記サンプリングシステムは、試験対象システムに流体連結され、前記試験対象システムは、ポンプと前記サンプリングシステムとの間に流体連結されている、請求項１に記載のサンプリングシステム。
【請求項１６】
前記サンプリングシステムはポンプに流体連結され、前記ポンプは、前記サンプリングシステムと試験対象システムとの間に流体連結されている、請求項１に記載のサンプリングシステム。
【請求項１７】
針と、シース組立体と、開位置と閉位置との間で移動可能なガスケットと、ボトルと、移動システムとを含むサンプリングシステムを使用してサンプル流体を採取するための方法であって、
前記ガスケットを前記閉位置に位置付けて前記シース組立体の第１の端部を流体的に密閉することと、
流体を前記針の第１の端部から、前記針および前記シース組立体によって画定された内部空洞内に分注することと、
前記流体を前記内部空洞から、前記シース組立体によって画定された開口部を経て分注することであって、前記開口部は重力の方向に対して前記針の前記第１の端部の上側に配置されることと
を含む、方法。
【請求項１８】
前記ガスケットを前記開位置に移動させて流体が前記シース組立体の前記第１の端部を経て前記内部空洞から出るのを可能にすることと、
前記針を前記ボトルおよび前記シース組立体に対して前記開位置まで移動させるか、または前記ボトルおよび前記シース組立体を前記針に対して前記開位置まで移動させ、それにより前記針の前記第１の端部が前記シース組立体の前記第１の端部を超えて延出して前記隔壁を穿通し、前記針が前記ボトルの前記内部空洞内に配置されることと、
前記流体を前記ボトルの前記内部空洞内に採取することと
をさらに含む、請求項１７に記載の方法。
【請求項１９】
前記方法は、
前記針を前記ボトルおよび前記シース組立体に対して移動させるか、または前記ボトルおよび前記シース組立体を前記針に対して移動させ、それにより前記針の前記第１の端部が前記ボトルの外部に位置付けられることと、
前記針を前記シース組立体に対して移動させるか、または前記シース組立体を前記針に対して移動させ、それにより前記針の前記第１の端部が前記シース組立体内に配置されることと、
前記ガスケットを前記閉位置に移動させて前記シース組立体の前記第１の端部を流体的に密閉することと
をさらに含む、請求項１８に記載の方法。
【請求項２０】
前記方法は、
流体を前記針の前記第１の端部から、前記針および前記シース組立体によって画定された前記内部空洞内に分注することと、
前記流体を前記内部空洞から、前記シース組立体によって画定された前記開口部を経て分注することと
をさらに含む、請求項１８に記載の方法。
【発明の詳細な説明】
【技術分野】
【０００１】
本開示で説明する実施形態は無菌サンプリングシステムに関する。
【背景技術】
【０００２】
健康および／または安全基準に準拠している流体を製造する業界は、製造されている流体を細菌および／または他の汚染物質について監視し得る。流体の一部が、健康および／または安全基準に準拠しているレベルを上回っているように見える場合、サンプリングシステムは追加試験のために流体のサンプルを採取し得る。
【０００３】
本開示でクレームされる主題は、不都合を解決するか、または前述したもののような環境においてのみ動作する実施形態に制限されない。むしろ、本背景は、本開示で説明するいくつかの実施形態が実施され得る１つの技術分野例を例示するためにのみ提供される。
【発明の概要】
【課題を解決するための手段】
【０００４】
本開示の１つ以上の実施形態は、システムを含み得る。本システムは針を含み得る。本システムは流体を針に供給するように構成されたサンプル源も含み得る。いくつかの実施形態では、サンプル源は、加圧流体システムである。追加として、本システムは、開口部を画定するシース組立体を含み得る。針はシース組立体内に配置され得る。針およびシース組立体は、針とシース組立体との間に内部空洞を画定し得る。さらに、本システムはガスケットを含み得る。ガスケットは、シース組立体の第１の端部に対して開位置と閉位置との間で移動可能であり得る。ガスケットは、シース組立体の第１の端部を流体的に密閉するための閉位置で設置されて、流体が針の第１の端部から出て内部空洞に入り開口部を経て内部空洞から出るのを可能にするように構成され得る。本システムはボトルを含み得る。ボトルはシース組立体の第１の端部に近接して配置され得る。ボトルは、ボトルの内部空洞を流体的に密閉するように構成された隔壁を含み得る。本システムは、移動システムも含み得る。移動システムは、ボトル、シース組立体、およびガスケットの１つ以上に連結され得る。移動システムは、ガスケットを開位置に移動させて流体がシース組立体の第１の端部を経て内部空洞から出るのを可能にするように構成され得る。移動システムは、針をボトルおよびシース組立体に対して開位置まで移動させるか、またはボトルおよびシース組立体を針に対して開位置まで移動させ、それにより針の第１の端部がシース組立体の第１の端部を越えて延出して隔壁を穿通し、針がボトルの内部空洞内に配置されて、流体が針の第１の端部から出てボトルの内部空洞内に入るのを可能にするようにも構成され得る。
【０００５】
実施形態の目的および利点は、少なくともクレーム内で具体的に指摘される要素、特徴、および組合せによって実現および達成されるであろう。前述の一般的な説明および以下の詳細な説明の両方は、例示的で説明のためであり、制限するものではない。
【０００６】
実施形態例は添付の図面の使用を通してさらに具体的かつ詳細に記述および説明されるであろう。
【図面の簡単な説明】
【０００７】
【図１】サンプリングシステム例の閉状態における側面の断面図であり、
【図２】別のサンプリングシステム例の閉状態における側面の断面図であり、
【図３】さらに別のサンプリングシステム例の閉状態における側面の断面図であり、
【図４】図４Ａ−図４Ｃ。それぞれ、開状態におけるサンプリングシステム例の側面斜視図、詳細な側面斜視図、および詳細な上面斜視図であり、
【図５】サンプリングシステムを使用して流体サンプルを無菌的に採取する方法例の流れ図を例示し、
【図６】コンピューティング装置例のブロック図を例示し、
【図７】サンプリングシステムの動作環境例を例示するブロック図であり、
【図８】サンプリングシステムの別の動作環境例のブロック図であり、全ては、本開示で説明する少なくとも１つの実施形態に従う。
【発明を実施するための形態】
【０００８】
サンプリングシステムは、流体のサンプルの無菌採取を容易にするように構成され得る。サンプリングシステムは、サンプリングシステムの内部空洞および／または内部構成要素（例えば、針）を外部環境から分離し得る。いくつかの実施形態では、サンプリングシステムは、サンプリングシステム内に存在し得、かつ／またはサンプリングシステム内で成長し得る細菌および／もしくは他の汚染物質を低減または除去して、一旦、流体のサンプルが流体システムから出ると流体のサンプルをさらに汚染することなく流体のサンプルを採取するように構成され得る。
【０００９】
いくつかの実施形態では、サンプリングシステムは、サンプリングシステムの１つ以上の外表面（例えば、ボトルの外表面および／または隔壁の外表面）に接触する流体が外表面を流れ落ち得るように、重力の方向に対して傾斜して配置され得る。追加または代替として、サンプリングシステムを重力の方向に対して傾斜して配置すると、サンプリングシステムから出る流体をサンプリングシステムの外表面（例えば、ボトルの外表面および／または隔壁の外表面）から離れるように方向付け得る。さらに、流体のサンプルが採取される場合、針が隔壁を穿通して流体がボトル内に分注される前に、ボトルの外表面および／または隔壁の外表面は、サンプリングシステムの内部空洞および／または内部構成要素（例えば、針）から出る流体の一部によってすすがれ得、それは細菌および／または汚染物質がボトルの外表面を介して流体のサンプルに取り込まれるのを低減または排除し得る。
【００１０】
代替または追加として、サンプリングシステムは、サンプリングシステムが閉状態の場合に、製造されている流体を使用して針の外表面を含む内部空洞の表面の少なくとも一部をすすぐように構成され得る。例えば、サンプリングシステムが閉状態にある場合、流体は針を介して内部空洞に入り、開口部を経て内部空洞から出る前に内部空洞の表面の一部をすすぎ得る。製造されている流体を使用して内部空洞の表面の一部をすすぐことにより、内部空洞の表面の一部上で成長し得る細菌および／または他の汚染物質は、流体によって内部空洞から除去され得る。同様に、製造されている流体を使用して内部空洞の表面の一部をすすぐと、サンプリングシステムが閉状態にある場合に、内部空洞の表面の一部が空気にさらされるのを阻止し得る。内部空洞の表面の一部が空気にさらされるのを阻止すると、細菌および／または他の汚染物質が内部空間の表面の一部上で成長するのを阻止し得る。すすぎは、サンプリングシステムが閉状態にある場合に、例えば、連続的に、継続的に、定期的に、断続的に、および／またはランダムに実行され得る。
【００１１】
さらに、サンプリングシステムは、サンプリングシステムが閉状態にある場合に、内部空洞の少なくとも一部を通って流体を流すように構成され得る。例えば、サンプリングシステムが閉状態にある場合、流体は針を介して内部空洞に連続的に入り得、開口部に達した後、流体は開口部を経て内部空洞から連続的に出得る。内部空洞を通って流体を流すことにより、内部空洞に取り込まれ得、かつ／または内部空洞内で成長し得る細菌および／もしくは他の汚染物質は、内部空洞から除去され得る。追加として、内部空洞内での流体の連続的な移動は、サンプリングシステムが閉状態にある場合、移動している流体はよどんだ流体よりも細菌および／または汚染物質が成長する可能性が低いので、細菌および／または他の汚染物質が内部空洞内で成長するのを阻止し得る。
【００１２】
代替または追加として、サンプリングシステムは、内部空洞に取り込まれ得、かつ／または内部空洞内で成長し得る細菌および／もしくは汚染物質を低減または除去するために１つ以上の防汚表面および／もしくは光源を含み得る。
【００１３】
それに応じて、サンプリングシステムは、内部空洞内で細菌および／または汚染物質を抑制および／または低減するための１つ以上の特徴または態様を含み得る。かかる特徴または態様は、サンプリングシステムの１つ以上の表面の面法線が重力の方向からオフセットされるように重力の方向に対して傾斜して位置付けられていて、サンプリングシステムの１つ以上の構成要素は、例えば、サンプリングシステムが閉状態にある場合に、すすがれ、防汚材料が、サンプリングシステムの１つ以上の構成要素内もしくは構成要素上に含まれているサンプリングシステム、および／またはＵＶ光を流体内に、もしくはサンプリングシステムの１つ以上の表面上に放出する１つ以上の光源を含み得る。かかる特徴または態様は、所与のサンプリングシステムにおいて個々に、または任意の組合せで実装され得る。
【００１４】
本開示のこれらおよび他の実施形態は、添付の図面を参照して説明される。図面中、同様の番号をもつ特徴は、特に断りのない限り、同様の構造および機能を示す。図面は、かかる実施形態例の図表および図解表現であり、本発明を制限するものではなく、また必ずしも原寸に比例していない。
【００１５】
図１は、本明細書で開示する少なくとも１つの実施形態に従った、サンプリングシステム例１００（本明細書ではシステム１００）の閉状態における側面の断面図である。システム１００は、汚染物質に関して検査すべきサンプル流体を採取するために採用され得る。システム１００は、針１０６、シース組立体１１０、およびガスケット１１４を含み得る。システム１００は、ボトル１０２、スプリング１１８、およびＯリング１２２も含み得る。
【００１６】
システム１００、またはシステム１００の少なくともいくつかの構成要素は、サンプリングシステム１００またはシステム１００の少なくともいくつかの構成要素の１つ以上の表面の面法線が重力の方向からオフセットされ得るように傾斜して位置付けられ得る。より詳細には、システム１００は、隔壁１０４の面法線が重力の方向と実質的に平行ではなく傾斜して配向され得る（例えば、隔壁１０４の面法線は重力の方向に対して非ゼロ角であり得る）。いくつかの実施形態では、システム１００またはその１つ以上の構成要素は、隔壁１０４の面法線が重力の方向から実質的に４５度オフセットされた角度で、またはより一般的には、重力の方向から実質的に３０〜実質的に６０度オフセットされた範囲で配向されるように、位置付けられ得る。他の実施形態では、システム１００は、隔壁１０４の面法線が重力の方向から４５度を上回るかまたは４５度未満オフセットされて配向されるように、位置付けられ得る。隔壁１０４の面法線が重力の方向と実質的に平行ではない角度で配向されるようにシステム１００を位置付けると、システム１００の内部空洞１１２から出る流体１２０が、ボトル１０２に達するか、または流体１２０がボトル１０２もしくは隔壁１０４にどうにか達した場合に隔壁１０４もしくはボトル１０２の他の外表面上に残るのを阻止し得る（例えば、内部空洞１１２から出る流体１２０が隔壁１０４またはボトル１０２の外表面上に溜まるのを阻止し得る）。
【００１７】
他の実施形態では、システム１００、本明細書で説明する他のシステム、および／またはその１つ以上の構成要素は、代替または追加として、内部空洞１１２内の細菌および／または汚染物質を抑制、除去、および／または低減するために、本明細書で説明する他の特徴または態様の１つ以上を実装し得る。
【００１８】
システム１００は、サンプル源（図示せず）から流体１２０を受け取るように構成され得る。サンプル源は針１０６に流体連結され得る。針１０６は、流体１２０をサンプル源から受け取り得、針空洞１０８をトラバースし得る。流体１２０は、針１０６の第１の端部１０１において針１０６によって画定された開口部を経て針空洞１０８から出得る。図１に例示するシステム１００では、流体１２０は、針１０６の第２の端部（図示せず）において針１０６によって画定された開口部を通って針空洞１０８に入り得、流体１２０は、針１０６の第１の端部１０１において針によって画定された開口部を通って針空洞１０８から出得る。いくつかの実施形態では、針１０６はカニューレを含み得る。
【００１９】
システム１００の閉状態では、針１０６は、シース組立体１１０内に少なくとも部分的に配置され得る。針１０６の外表面およびシース組立体１１０の内側面は内部空洞１１２を画定し得る。追加として、シース組立体１１０は開口部１１６または出口を画定し得る。開口部１１６は、内部空洞１１２に流体連結され得る。システム１００の閉状態では、ガスケット１１４は、シース組立体１１０の第１の端部１０５に近接して位置付けられ得る。ガスケット１１４は、シース組立体１１０の第１の端部１０５に対して開位置（例えば、システム１００の開状態または採取状態）と閉位置（例えば、図１に例示するようなシステム１００の閉状態）との間で移動可能であり得る。いくつかの実施形態では、ガスケット１１４は、ポリマーガスケットを含み得る。
【００２０】
システム１００の閉状態では、ガスケット１１４は、流体１２０がシース組立体１１０の第１の端部１０５を経て内部空洞１１２から出るのを阻止するために、シース組立体１１０の第１の端部１０５を流体的に密閉し得る。追加として、システム１００の閉状態では、流体１２０は内部空洞１１２内に集まり得、そして開口部１１６を経て内部空洞１１２から出得る。例えば、流体１２０は、針１０６の第１の端部１０１から出て、流体１２０が開口部１１６に到達し、開口部１１６を経て内部空洞１１２から出るまで、内部空洞１１２内に集まり得る／内部空洞１１２を充填し得る。開口部１１６は、重力の方向に対して針１０６の第１の端部１０１の上側に配置され得る。
【００２１】
スプリング１１８は、制御アーム４４２（以下でさらに詳細に説明される）によってガスケット１１４を閉位置に向けて付勢するように構成され得る。いくつかの実施形態では、スプリング１１８は、ボトル１０２、シース組立体１１０、およびガスケット１１４の１つ以上に連結された複数の構成要素を含む移動システム１０７の部分であり得る。移動システム１０７は、システム１００の様々な構成要素を閉位置および開位置に位置付け、かつ／または閉位置と開位置との間で移動させるように構成され得る。移動システム１０７は以下でさらに詳細に説明される。
【００２２】
Ｏリング１２２はシース組立体１１０の第２の端部１０９を流体的に密閉して、流体がシース組立体１１０の第２の端部１０９を経て内部空洞１１２から不注意に出ることなく、シース組立体１１０が、針１０６に対して移動できるようにし得る。
【００２３】
システム１００の閉状態では、ボトル１０２は、シース組立体１１０の第１の端部１０５に近接して配置され得る。ボトル１０２の隔壁１０４は、ボトル１０２の内部空洞を流体的に密閉し得る。いくつかの実施形態では、ボトル１０２および／または隔壁１０４は、流体１２０のサンプルを採取するために１回限りの使用のために構成され得る。いくつかの実施形態では、ボトル１０２および／または隔壁１０４は、流体１２０のサンプルを採取するために複数使用のために構成され得る。
【００２４】
システム１００の閉状態では、針１０６の第１の端部１０１は、ガスケット１１４に近接して配置され得る。例えば、針１０６の第１の端部１０１は、ガスケット１１４から１５〜２５ミリメートル（ｍｍ）の間だけ離れて配置され得る。システム１００の閉状態では、流体１２０は針１０６の第１の端部１０１を経て内部空洞１１２に入り得、そして内部空洞１１２内に集まり得る／内部空洞１１２を充填し得る。流体１２０は、内部空洞１１２内に集まり／内部空洞１１２を充填し、開口部１１６に向かって上昇し得る。流体１２０が開口部１１６に達すると、流体１２０は開口部１１６を経て内部空洞１１２から出得る。いくつかの実施形態では、流体１２０は、開口部１１６を経て内部空洞１１２から出た後、サンプル源に戻され得る。他の実施形態では、流体１２０は、開口部１１６を経て内部空洞１１２から出た後、廃棄され得る。
【００２５】
図１および他の図面は本明細書では、サンプル流体を採取するためのボトル１０２を示す。他の実施形態は、ボトル１０２の代わりに、またはボトル１０２に追加して、他の流体採取手段を実装し得る。例えば、１つ以上の実施形態は、点滴静注（ＩＶ）バッグ、チューブ、または隔壁閉鎖を備えた何らかの他の容器をボトル１０２の代わりに実装し得る。
【００２６】
図２は、本明細書で開示する少なくとも１つの実施形態に従った、別のサンプリングシステム例２００（本明細書ではシステム２００）の閉状態における側面の断面図である。システム２００は、汚染物質に関して検査すべきサンプル流体の採取において採用され得る。システム２００は、図１に関連して前述したシステム１００と同じか、または類似し得、同じ構成要素および／または特徴の一部もしくは全部、例えば、針１０６、シース組立体１１０、ガスケット１１４、スプリング１１８、内部空洞１１２、および開口部１１６などを含み得る。システム２００は、本明細書で説明する１つ以上の他のシステムの開状態と同じか、または類似した開状態（図２には示さず）を有し得る。従って、システム２００は、閉位置と開位置との間で移動可能である、ガスケット１１４などの、１つ以上の構成要素を有し得る。
【００２７】
いくつかの実施形態では、システム２００は、第１の防汚コーティング２２４ａおよび第２の防汚コーティング２２４ｂ（総称して「防汚コーティング２２４」）の少なくとも１つも含み得る。
【００２８】
前述のとおり、流体１２０は、針１０６によって受け取られ得る。追加として、流体１２０は、針空洞１０８をトラバースし、針１０６から出て内部空洞１１２に入り得る。さらに、流体１２０は、流体１２０が開口部１１６に達するまで、内部空洞１１２内に集まり得る。流体１２０は開口部１１６を経て内部空洞１１２から出得る。
【００２９】
追加として、システム２００の１つ以上の表面は、防汚コーティング２２４を含み得、かつ／またはその上に防汚コーティング２２４を形成させ得る。いくつかの実施形態では、シース組立体１１０の内側面は第２の防汚コーティング２２４ｂを含み得る。追加または代替として、針１０６の外表面は、第１の防汚コーティング２２４ａを含み得る。防汚コーティング２２４は、細菌および／または他の汚染物質が成長するのを阻止するように構成された任意の防汚材料または材料処理を含み得る。例えば、防汚材料は、銀、銅、金、亜鉛、チタン、前述のいずれかの合金、オルガノシラン、四級アンモニウム化合物、フルオロカーボン、パリレンおよび光触媒材料、または他の適切な防汚材料（複数可）の１つ以上を含み得る。いくつかの実施形態では、防汚コーティング２２４は、針空洞１０８の下流に配置され得る（例えば、防汚コーティング２２４は、流体１２０が針１０６から出て、内部空洞１１２またはボトル１０２のいずれか入った後、流体１２０と接触し得る）。追加または代替として、ガスケット１１４は防汚材料を注入され得る。例えば、ガスケット１１４はポリマーガスケットとして実装され得、銀、銅、金、亜鉛、チタン、前述のいずれかの合金、オルガノシラン、四級アンモニウム化合物、フルオロカーボン、パリレンおよび光触媒材料、または他の適切な防汚材料（複数可）の１つ以上を注入され得る。
【００３０】
いくつかの実施形態では、針１０６および／またはシース組立体１１０は１つ以上の熱源（図示せず）に連結され得る。熱源は、針１０６および／またはシース組立体１１０を直接加熱するように構成され得る。針１０６および／またはシース組立体１１０を加熱すると、細菌および／または他の汚染物質が流体１２０内または内部空洞１１２の表面上で成長するのを阻止し得る。追加として、針１０６および／またはシース組立体１１０を加熱すると、針１０６および／またはシース組立体１１０の表面を衛生的にし得る。針１０６および／またはシース組立体１１０の加熱は、サンプリングシステム２００が閉状態または開状態にある場合に、例えば、連続的に、継続的に、定期的に、断続的に、および／またはランダムに実行され得る。
【００３１】
図３は、本明細書で開示する少なくとも１つの実施形態に従った、さらに別のサンプリングシステム例３００（本明細書ではシステム３００）の閉状態における側面の断面図である。システム３００は、汚染物質に関して検査すべきサンプル流体の採取において採用され得る。システム３００は、図１および図２に関連して前述したシステム１００およびシステム２００と同じか、または類似し得、同じ構成要素および／または特徴の一部もしくは全部、例えば、針１０６、シース組立体１１０、ガスケット１１４、スプリング１１８、内部空洞１１２、および開口部１１６などを含み得る。システム３００は、本明細書で説明する１つ以上の他のシステムの開状態と同じか、または類似した開状態（図３には示さず）を有し得る。従って、システム３００は、閉位置と開位置との間で移動可能である、ガスケット１１４などの、１つ以上の構成要素を有し得る。
【００３２】
いくつかの実施形態では、システム３００は追加として、第１の光源３２６ａおよび第２の光源３２６ｂ（総称して「光源３２６」）の少なくとも１つを含み得る。
【００３３】
流体１２０は、針１０６によって受け取られ得る。追加として、流体１２０は、針空洞１０８をトラバースし、針１０６から出て内部空洞１１２に入り得る。さらに、流体１２０は、流体１２０が開口部１１６に達するまで、内部空洞１１２内に集まり得る。流体１２０は開口部１１６を経て内部空洞１１２から出得る。
【００３４】
光源３２６は、内部空洞１１２内で流体１２０の少なくとも一部に光を放出するような方法で配置され得る。追加または代替として、光源３２６は、針１０６の外表面の少なくとも一部上またはシース組立体１１０の内側面（例えば、内部空洞１１２の表面）上に光を放出するような方法で配置され得る。光は、細菌および／または他の汚染物質が流体１２０内もしくは内部空洞１１２の表面上で成長するのを阻止するために、流体１２０内および／または内部空洞１１２の表面上に放出され得る。
【００３５】
光源３２６によって放出される光は、２６０〜２９０ナノメートル（ｎｍ）の範囲内のＵＶ光を含み得る。いくつかの実施形態では、第１の光源３２６ａおよび第２の光源３２６ｂは、シース組立体１１０の内側面に沿って異なる位置に配置された異なる光パイプを含み得る。いくつかの実施形態では、光パイプは、高分子材料またはＵＶ光を放出するために容認可能な任意の他の材料を含み得る。追加または代替として、光源３２６は、シース組立体１１０の内側面の一部または全部上に光を向かわせる単一の光源を含み得る。光源３２６は、光触媒表面処理の場合のように、表面コーティング２２４と組み合わせて機能し得る。例えば、図３のシステム３００は、図２の防汚コーティング２２４ならびに／または針１０６および／もしくはシース組立体１１０を加熱するように構成された熱源を含むように修正され得、かつ／または図２のシステム２００は、図３の光源３２６を含むように修正され得る。
【００３６】
図４Ａ、図４Ｂ、および図４Ｃは、それぞれ、本明細書で開示する少なくとも１つの実施形態に従った、開状態（例えば、採取状態）におけるサンプリングシステム例４００（本明細書ではシステム４００）の側面斜視図、詳細な側面斜視図、および詳細な上面斜視図である。システム４００は、図１〜図３に関連して前述したシステム１００、２００、および３００と同じか、または類似し得、図１〜図３に例示する閉状態ではなく、開状態（例えば、開位置における１つ以上の構成要素）で例示される。システム４００は、図１〜図３に例示されるシステム１００、２００、および３００の閉状態と同じか、または類似した閉状態も有し得る。システム４００の１つ以上の構成要素は、閉位置と開位置との間で移動可能であり得る。図４Ａ〜図４Ｃをまとめて参照して、システム４００は、汚染物質に関して検査すべきサンプル流体の採取において採用され得る。
【００３７】
システム４００は、システム１００、２００、および３００と同じ構成要素および／または特徴の一部もしくは全部、例えば、ボトル１０２、隔壁１０４、針１０６、シース組立体１１０、スプリング１１８、ガスケット１１４、およびＯリング１２２など、を含み得る。システム４００は、ボトル保持装置４２８、コンタクタプレート４３４、リターンプレート４３６、ホイール４３８、リターンスプリング４４０、制御アーム４４２、ならびに第１のガイドレール４４４ａおよび第２のガイドレール４４４ｂ（総称して「ガイドレール４４４」）の少なくとも１つも含み得る。追加として、システム４００は、システム１００、２００、および３００と同じか、または類似して、重力の方向に対して傾斜して配置され得る。
【００３８】
システム４００は、システム４００の様々な構成要素を開位置に位置付けるように構成され、かつ／またはシステム４００の１つ以上の構成要素を閉位置と開位置との間で移動させるように構成された移動システム１０７を含み得る。移動システム１０７は、スプリング１１８、ボトル保持装置４２８、コンタクタプレート４３４、リターンプレート４３６、ホイール４３８、リターンスプリング４４０、および／または制御アーム４４２を含み得る。
【００３９】
ボトル保持装置４２８は、サンプル流体の採取に適した配向および／または位置でボトル１０２を保持するように構成され得る。ボトル保持装置４２８は、ボトル保持装置４２８が移動されているとき、ボトル１０２も移動されるように、ボトル１０２と接触し得る。コンタクタプレート４３４は、コンタクタ部４３２（例えば、図４Ａおよび図４Ｂに図示）を含み得、それが、ボトル１０２の外表面と接触し得る。ボトル１０２は、ボトル１０２が移動されているとき、コンタクタプレート４３４も移動されるように、コンタクタ部４３２と接触し得る。コンタクタプレート４３４を動かすと、リターンスプリング４４０に荷重をかけ得る。
【００４０】
ホイール４３８（例えば、図４Ｃに示す）は、コンタクタプレート４３４の表面と接触し得る。ホイール４３８は、制御アーム４４２（例えば、図４Ａ、図４Ｂ、および図４Ｃに図示）上に配置され得る。ホイール４３８は、コンタクタプレート４３４の表面に沿って回転することにより、制御アーム４４２が回転する（例えば、閉位置（例えば、図１〜図３に図示）から開位置（例えば、図４Ａ、図４Ｂ、および図４Ｃに図示）に移行する）のを可能にし得る。制御アーム４４２は、スプリング１１８の中心軸に対して回転し得る。例えば、コンタクタプレート４３４は、開位置に移動されている場合にホイール４３８に接触し得、それは、ホイール４３８をコンタクタプレート４３４の表面に沿って回転させて、制御アーム４４２をスプリング１１８に対して回転させ得る。
【００４１】
ガスケット１１４は、制御アーム４４２が回転するとガスケット１１４を開位置に位置付け得るような方法で、制御アーム４４２に機械的に連結され得る。内部空洞１１２は、ガスケット１１４が開位置にある場合、外部環境にさらされ得る。
【００４２】
制御アーム４４２が回転すると、スプリング１１８に荷重をかけ得、それは制御アーム４４２を閉位置に向けて付勢し得る。コンタクタプレート４３４は、開位置にある場合、制御アーム４４２が閉位置に移行するのを阻止し得る。
【００４３】
開位置では、シース組立体１１０の第１の端部１０５は、ガスケット１１４によって流体的に密閉され得ず、それは内部空洞１１２内の流体１２０の少なくとも一部がシース組立体１１０の第１の端部１０５を経て内部空洞１１２から出るのを可能にし得る。シース組立体１１０の第１の端部１０５を経て内部空洞１１２から出る流体１２０は、ボトル１０２の隔壁１０４をすすぎ得る。シース組立体１１０の第１の端部１０５を経て内部空洞１１２から出る流体１２０は、重力の方向に対して傾斜して配置されているボトル１０２および／または隔壁１０４のために、隔壁１０４上に溜まらない可能性がある。追加または代替として、内部空洞１１２内の流体１２０の一部は、ガスケット１１４が開位置にある（例えば、内部空洞１１２をもう流体的に密閉していない）場合、シース組立体１１０によって画定された開口部１１６を経て内部空洞１１２から出得る。
【００４４】
制御アーム４４２が開位置にある場合、コンタクタプレート４３４は、コンタクタプレート４３４の位置決めがシース組立体１１０を開位置に位置付け得るように、シース組立体１１０の可動部４４６（例えば、図４Ｃに図示）に接触し得る。例えば、コンタクタプレート４３４が移動してシース組立体１１０の可動部４４６と接触すると、それはシース組立体１１０をコンタクタプレート４３４と共に動かし得る。ガイドレール４４４は、シース組立体１１０の位置決めを制御するように構成され得る。例えば、ガイドレール４４４は、可動部４４６と接触している間コンタクタプレート４３４の移動に応答して、シース組立体１１０が一次元において、例えば、針１０６の長さと平行な方向に、移動するのを可能にし得る。
【００４５】
開位置では、針１０６は、シース組立体１１０の第１の端部１０５を越えて延出し得る。追加として、ボトル１０２は、少なくとも、針１０６がボトル１０２の隔壁１０４を穿通するまで移動され得る。針１０６によって隔壁１０４を穿通すると、針１０６上の細菌および／または汚染物質を除去し得る。例えば、隔壁１０４は、穿通中に針１０６を清浄にするために針１０６の外表面を削り落として、細菌および／または汚染物質がボトル１０２内の流体１２０に取り込まれるのを防ぎ得る。開位置では、針１０６の第１の端部１０１は、図４Ｃに例示されるように、ボトル１０２内に配置され得る。
【００４６】
開位置では、流体１２０は、サンプル源から針１０６によって受け取られ得る。流体１２０は、針空洞１０８をトラバースし、針１０６の第１の端部から出得る。流体１２０はボトル１０２に入り得、そして所望の容積まで採取され得る。
【００４７】
サンプル分を採取した後、移動システム１０７は、システム４００の様々な構成要素を閉位置に移動させ得、それは、システム４００を閉状態（図１〜３に例示されるとおり）に移行させ得る。例えば、リターンスプリング４４０は、システム４００が開状態にある場合に荷重をかけられ得、そしてリターンプレート４３６を閉位置に向けて付勢し得る。リターンプレート４３６を閉位置に移動させると、可動部４４６に力を印加することによりシース組立体１１０を閉位置に移動させ得る。追加として、リターンプレート４３６を閉位置に移動させると、コンタクタプレート４３４およびコンタクタ部４３２を閉位置に移動させ得る。コンタクタ部４３２を閉位置に移動させると、ボトル１０２の外表面上に力を印加することによりボトル１０２を閉位置に移動させ得る。さらに、リターンプレート４３６を閉位置に移動させると、コンタクタプレート４３４によってボトル保持装置４２８を閉位置に移動させ得る。
【００４８】
ボトル１０２は、閉位置では、例えば、図１〜図３に例示されるとおり、針１０６の第１の端部１０１がボトル１０２の外部に位置付けられ得、もうボトル１０２内に配置され得ないように、位置付けられ得る。追加として、シース組立体１１０は、閉位置では、針１０６がシース組立体１１０内に配置され得るように、位置付けられ得る。
【００４９】
追加として、リターンプレート４３６を閉位置に移動させると、スプリング１１８が制御アーム４４２およびガスケット１１４を解放して閉位置に移動させ得るように、コンタクタプレート４３４を移動させ得、それはシース組立体１１０の第１の端部１０５を流体的に密閉し得る。
【００５０】
いくつかの実施形態では、ボトル１０２およびシース組立体１１０は、例えば、説明のとおり、開位置と閉位置との間で針１０６に対して移動される。いくつかの実施形態では、針１０６は、開位置と閉位置との間で、ボトル１０２および／またはシース組立体１１０に対して移動され得る。これらおよび他の実施形態では、ガスケット１１４は、針１０６が移動される前に、開位置に位置付けられ得る。
【００５１】
図５は、本明細書で開示する少なくとも１つの実施形態に従って配置された、サンプリングシステムを使用して流体サンプルを無菌的に採取する方法例５００の流れ図を例示する。サンプリングシステムは、本明細書の別の箇所で説明されるシステム１００、２００、３００、および４００などの、本明細書で説明するサンプリングシステムの１つ以上を含み得る。いくつかの実施形態では、かかるサンプリングシステムは、少なくとも１つの針、シース組立体、開位置と閉位置との間で移動可能なガスケット、ボトル、および本明細書の別の箇所で説明されるものなどの移動システムを含み得る。
【００５２】
方法５００は、全体または一部において、サンプリングシステム１００、２００、３００、および４００によって、ならびに／または他のサンプリングシステムによって、実行され得る。代替または追加として、方法５００は、方法５００の操作の１つ以上を実行するか、またはその実行を制御するプロセッサ装置によって実装され得る。例えば、コンピュータ（図６のコンピューティング装置６００など）または他のプロセッサ装置は、サンプリングシステムに通信可能に結合され得、かつ／またはサンプリングシステムの制御／検知システムとして含まれ得、例えば、コンピュータがアクセス可能な持続性コンピュータ可読媒体上に格納された、コンピュータがアクセス可能なソフトウェアまたは他のコンピュータ可読命令を実行して、図５の方法５００を実行するためにサンプリングシステムを実行または制御し得る。
【００５３】
方法５００は、ブロック５０２、５０４、５０６、５０８、５１０、５１２、５１４、および／または５１６の１つ以上を含み得る。別個のブロックとして例示されているが、様々なブロックは、特定の実施態様に応じて、追加のブロックに分割され、追加のブロックで補完され、もっと少ないブロックに結合され、または削除され得る。方法５００は、ブロック５０２から開始し得る。
【００５４】
ブロック５０２（「ガスケットを閉位置に位置付ける」）で、ガスケットは移動システムによって閉位置に位置付けられ得る。いくつかの実施形態では、ガスケットは、シース組立体の第１の端部を流体的に密閉するために閉位置に位置付けられ得る。ブロック５０２の後に、ブロック５０４が続き得る。
【００５５】
ブロック５０４（「流体を針の第１の端部から内部空洞内に分注する」）で、流体が針の第１の端部から内部空洞内に分注され得る。いくつかの実施形態では、内部空洞は、針およびシース組立体によって画定され得る。ブロック５０４の後に、ブロック５０６が続き得る。
【００５６】
ブロック５０６（「流体を内部空洞から開口部を経て分注する」）で、流体は、内部空洞から開口部を経て分注され得る。いくつかの実施形態では、開口部は、シース組立体によって画定され得る。これらおよび他の実施形態では、開口部は、重力の方向に対して針の第１の端部の上側に配置され得る。ブロック５０６の後に、ブロック５０８が続き得る。
【００５７】
ブロック５０８（「ガスケットを開位置に移動させる」）で、ガスケットは、開位置に移動され得る。いくつかの実施形態では、ガスケットは、流体が、シース組立体の第１の端部を経て内部空洞から出るのを可能にするために、開位置に移動され得る。ブロック５０８の後に、ブロック５１０が続き得る。
【００５８】
ブロック５１０（「針をボトルおよびシース組立体に対して開位置に移動させるか、またはボトルおよびシース組立体を針に対して開位置に移動させ、それにより針の第１の端部がシース組立体の第１の端部を越えて延出する」）で、針をボトルおよびシース組立体に対して開位置に移動させるか、またはボトルおよびシース組立体を針に対して開位置に移動させ、それにより針の第１の端部がシース組立体の第１の端部を越えて延出して隔壁を穿通し、針がボトルの内部空洞内に配置され得る。いくつかの実施形態では、シース組立体は、固定位置に留まり得、針はシース組立体の第１の端部を越えて延出するように移動され得る。これらおよび他の実施形態では、ボトルは固定位置に留まり得、針の移動は、針がボトルの隔壁を穿通する結果となり得、そのため針の第１の端部はボトルの内部空洞内に配置される。ロック５１０の後に、ブロック５１２が続き得る。
【００５９】
ブロック５１２（「流体をボトルの内部空洞内に採取する」）で、流体はボトルの内部空洞内に採取され得る。
【００６０】
当業者は、本明細書で開示するこれおよび他のプロセス、操作、および方法に関して、実行される機能および／または操作は異なる順序で実装され得ることを理解するであろう。その上、概説した機能および操作は例としてのみ提供され、機能および操作の一部は任意選択であり、開示する実施形態の本質を損なうことなく、もっと少ない機能および操作に結合されるか、または追加の機能および操作に拡張され得る。
【００６１】
これらおよび他の実施形態では、方法５００は、針の第１の端部がボトルの外部に位置付けられるようにボトルを位置付けること、針の第１の端部がシース組立体内に配置されるようにシース組立体を位置付けること、およびシース組立体の第１の端部を流体的に密閉するためにガスケットを閉位置に位置付けることをさらに含み得る。
【００６２】
代替または追加として、方法５００は、流体を針の第１の端部から、針およびシース組立体によって画定された内部空洞内に分注すること、ならびに流体を内部空洞から、シース組立体によって画定された開口部を経て分注することをさらに含み得る。
【００６３】
図６は、本明細書で説明する少なくとも１つの実施形態に従って配置された、コンピューティング装置例６００のブロック図を例示する。コンピューティング装置６００は、本明細書で説明する方法および／または操作の１つ以上を実行するか、またはその実行を制御するためにいくつかの実施形態で使用され得る。例えば、コンピューティング装置６００は、本明細書で説明するシステム１００、２００、３００、および４００に通信可能に結合され、かつ／またはそれに含まれて、図５の方法５００を実行するか、またはその実行を制御し得る。基本構成６０２では、コンピューティング装置６００は典型的には、１つ以上のプロセッサ６０４およびシステムメモリ６０６を含む。メモリバス６０８は、プロセッサ６０４とシステムメモリ６０６との間の通信のために使用され得る。
【００６４】
所望の構成に応じて、プロセッサ６０４は、マイクロプロセッサ（μＰ）、マイクロコントローラ（μＣ）、デジタル信号プロセッサ（ＤＳＰ）、またはそれらの任意の組合せなど、を含む任意のタイプであり得る。プロセッサ６０４は、１つ以上のレベルのキャッシング、例えば、レベル１キャッシュ６１０およびレベル２キャッシュ６１２など、プロセッサコア６１４、およびレジスタ６１６を含み得る。プロセッサコア６１４は、演算論理装置（ＡＬＵ）、浮動小数点ユニット（ＦＰＵ）、デジタル信号処理コア（ＤＳＰコア）、またはそれらの任意の組合せを含み得る。メモリコントローラ例６１８もプロセッサ６０４と共に使用され得るか、またはいくつかの実施態様では、メモリコントローラ６１８は、プロセッサ６０４の内部部品であり得る。
【００６５】
所望の構成に応じて、システムメモリ６０６は、揮発性メモリ（ＲＡＭなど）、不揮発性メモリ（ＲＯＭ、フラッシュメモリ、または同様のものなど）、またはそれらの任意の組合せなどの、任意のタイプであり得る。システムメモリ６０６は、オペレーティングシステム６２０、１つ以上のアプリケーション６２２、およびプログラムデータ６２４を含み得る。アプリケーション６２２は、本明細書で説明するサンプリングシステムの１つ以上と関連付けられた無菌サンプリング操作をスケジュールし、かつ／または実施するように配置される無菌サンプルアルゴリズム６２６を含み得る。プログラムデータ６２４は、サンプリング事象のスケジュール、閾値、ならびに／または本明細書で説明するサンプリング方法および／もしくは操作の態様を制御するために使用され得る他のデータなどの無菌サンプルデータ６２８を含み得る。いくつかの実施形態では、アプリケーション６２２は、図５に関して説明されるものを含む、本明細書で説明する方法および／または操作の１つ以上を実行するためにオペレーティングシステム６２０上でプログラムデータ６２４を用いて動作するように配置され得る。
【００６６】
コンピューティング装置６００は、追加の特徴または機能、ならびに基本構成６０２と任意の他の装置およびインタフェースとの間の通信を容易にするための追加のインタフェースを含み得る。例えば、バス／インタフェースコントローラ６３０は、基本構成６０２と１つ以上のデータ記憶装置６３２との間の記憶インタフェースバス６３４を介した通信を容易にするために使用され得る。データ記憶装置６３２は、取外し可能記憶装置６３６、固定型記憶装置６３８、またはそれらの組合せを含み得る。取外し可能記憶装置および固定型記憶装置の例は、２〜３例を挙げると、フレキシブルディスクドライブおよびハードディスクドライブ（ＨＤＤ）などの磁気ディスク装置、コンパクトディスク（ＣＤ）ドライブまたはデジタル多用途ディスク（ＤＶＤ）ドライブなどの光ディスクドライブ、ソリッドステートドライブ（ＳＳＤ）、およびテープドライブを含む。コンピュータ記憶媒体例は、コンピュータ可読命令、データ構造、プログラムモジュール、または他のデータなどの、情報を格納するための任意の方法または技術で実装された揮発性および不揮発性の、取外し可能および固定型の媒体を含み得る。
【００６７】
システムメモリ６０６、取外し可能記憶装置６３６、および固定型記憶装置６３８は、コンピュータ記憶媒体の例である。コンピュータ記憶媒体は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学式記憶、磁気カセット、磁気テープ、磁気ディスク記憶もしくは他の磁気記憶装置、または所望の情報を格納するために使用され得、かつコンピューティング装置６００によってアクセスされ得る任意の他の媒体を含むが、それらに制限されない。任意のかかるコンピュータ記憶媒体は、コンピューティング装置６００の部分であり得る。
【００６８】
コンピューティング装置６００は、様々なインタフェース装置（例えば、出力装置６４２、周辺インタフェース６４４、および通信装置６４６）から基本構成６０２へのバス／インタフェースコントローラ６３０を介した通信を容易にするためのインタフェースバス６４０も含み得る。出力装置６４２は、グラフィック処理装置６４８および音声処理装置６５０を含み、それらは、１つ以上のＡ／Ｖポート６５２を介してディスプレイまたはスピーカーなどの様々な外部装置に伝達するように構成され得る。周辺インタフェース６４４は、シリアルインタフェースコントローラ６５４またはパラレルインタフェースコントローラ６５６を含み、それらは、１つ以上のＩ／Ｏポート６５８を介して入力装置（例えば、キーボード、マウス、ペン、音声入力装置、タッチ入力装置、および／またはその他）、センサー、または他の周辺装置（例えば、プリンタ、スキャナ、および／またはその他）などの外部装置と通信するように構成され得る。通信装置６４６はネットワークコントローラ６６０を含み、それは、１つ以上の通信ポート６６４を介して、１つ以上の他のコンピューティング装置６６２とのネットワーク通信リンクを通した通信を容易にするために配置され得る。
【００６９】
ネットワーク通信リンクは、通信媒体の一例であり得る。通信媒体は典型的には、コンピュータ可読命令、データ構造、プログラムモジュール、または搬送波もしくは他の移送機構などの、変調されたデータ信号における他のデータによって具現化され得、任意の情報送達媒体を含み得る。「変調されたデータ信号」は、情報を信号内に符号化するような方法で設定または変更されたその特性の１つ以上を含む信号であり得る。制限ではなく、例として、通信媒体は、有線ネットワークまたは直接有線接続などの有線媒体、ならびに、音響、無線周波数（ＲＦ）、マイクロ波、赤外線（ＩＲ）、および他の無線媒体などの無線媒体を含み得る。用語「コンピュータ可読媒体」は本明細書での使用は、記憶媒体と通信媒体の両方を含み得る。
【００７０】
コンピューティング装置６００は、携帯電話、携帯情報端末（ＰＤＡ）、パーソナルメディアプレイヤー装置、無線ウェブウォッチ装置（ｗｉｒｅｌｅｓｓ  ｗｅｂ−ｗａｔｃｈ  ｄｅｖｉｃｅ）、パーソナルヘッドセット装置、特定用途向け装置、または前述の機能のいずれかを含むハイブリッド装置などの、小型ポータブル（モバイル）電子機器の部分として実装され得る。コンピューティング装置６００は、ラップトップコンピュータおよび非ラップトップコンピュータ構成の両方を含む、パーソナルコンピュータとしても実装され得る。
【００７１】
図７は、本明細書で説明する少なくとも１つの実施形態に従って配置された、サンプリングシステム７０５の動作環境例７００を例示するブロック図である。動作環境７００は、試験対象システム（ＳＵＴ）７０１、サンプリングシステム７０５、およびポンプ７０３を含み得る。サンプリングシステム７０５は、図１〜図４Ｃに関連して前述したシステム１００、２００、３００、および４００と同じか、または類似し得る。ポンプ７０３は、サンプリングシステム７０５およびＳＵＴ７０１に流体連結され得る。追加として、いくつかの実施形態では、サンプリングシステム７０５は、サンプル採取されていない場合、汲み出された流体を戻すためにＳＵＴ７０１に流体連結され得る。
【００７２】
ＳＵＴ７０１は、そのプロセスにおいて流体を生成および／または取り込み、その流体を外部採取器（図示せず）に提供し得る。サンプリングシステム７０５は、流体を監視して、その流体が細菌および／または汚染物質を、健康および／または安全基準に準拠しているレベルで、もしくはそのレベルを下回って、含有するかどうかを判断するように構成され得る。追加または代替として、１つ以上のセンサーが流体を監視し得る。流体の一部が所望の制御ならびに／または健康および／もしくは安全基準に準拠したレベルを上回っているように見える場合、サンプリングシステム７０５は、追加の試験のために流体のサンプルを採取し得る。
【００７３】
図８は、本明細書で説明する少なくとも１つの実施形態に従って配置された、サンプリングシステム８０３の別の動作環境例８００のブロック図である。動作環境８００は、ＳＵＴ８０１、サンプリングシステム８０３、およびポンプ８０５を含み得る。サンプリングシステム８０３は、図１〜図４Ｃおよび図７に関連して前述したサンプリングシステム１００、２００、３００、４００、および７０３と同じか、または類似し得る。追加として、ＳＵＴ８０１は、図７に関連して前述したＳＵＴ７０１であり得、ＳＵＴ７０１と同じか、または同様に動作し得る。
【００７４】
ポンプ８０５は、ＳＵＴ８０１に流体連結され得る。ポンプ８０５は、ＳＵＴ８０１および外部採取器（図示せず）と一列に流体連結され得る。例えば、ポンプ８０５は、圧力を流体に加えて、流体がＳＵＴ８０１をトラバースして外部採取器に到達するようにさせ得る。追加として、サンプリングシステム８０３は、ＳＵＴ８０１および外部採取器と一列に流体連結されない可能性がある。さらに、ＳＵＴ８０１は、ＳＵＴ８０１をサンプリングシステム８０３から流体的に密閉するためのシールを含み得る。いくつかの実施形態では、サンプリングシステム８０３は、サンプル採取されていない場合、汲み出された流体を戻すためにポンプ８０５に流体連結され得る。
【００７５】
いくつかの実施形態では、ＳＵＴ８０１によって生成された流体が健康および／または安全基準に準拠しているレベルを上回っているように見える場合、ＳＵＴ８０１はシールを除去し得、サンプリングシステム８０３に流体連結されるようになり得る。これらおよび他の実施形態では、ポンプ８０５は圧力を流体に加えて、流体がサンプリングシステム８０３に到達するようにさせ得る。サンプリングシステム８０３は、流体のサンプルを採取し得、ＳＵＴ８０１は、ＳＵＴ８０１をサンプリングシステム８０３から流体的に密閉するためにシールを戻し得る。
【００７６】
本開示は、様々な態様の例証となることを目的とする、本明細書で説明する特定の実施形態に関して制限されない。当業者には明らかであるように、多くの修正および変形を、その精神および範囲から逸脱することなく、行うことができる。本明細書で列挙されるものに追加して、本開示の範囲内の機能的に同等な方法および装置は、前述の説明から当業者には明らかであろう。かかる修正および変形は、添付のクレームの範囲内に含まれることを意図する。本開示は、かかるクレームが権利を与えられる均等物の完全な範囲と共に、添付のクレームの条件によってのみ制限されるものとする。本開示は特定の方法、試薬、化合物、組成、または生物システムに制限されず、それらは、言うまでもなく、変動し得ることが理解される。本明細書で使用される用語は、特定の実施形態だけを説明することを目的とし、制限することを意図していないことも理解される。
【００７７】
本明細書では、実質的に任意の複数および／または単数の用語の使用に関して、当業者は、文脈および／または用途に応じて、複数から単数へ、および／または単数から複数へ変換できる。様々な単数／複数の置換は、分かりやすくするために、本明細書で明示的に記載され得る。
【００７８】
本発明は、その精神または本質的特性から逸脱することなく、他の特定の形式で具現化され得る。説明する実施形態は、あらゆる点において、制限ではなく例示としてのみ考えられるべきである。本発明の範囲は、従って、前述の説明によってではなく、添付のクレームによって示される。クレームの等価の意味および範囲内の全ての変更は、それらの範囲内に包含されるものとする。
【図１】
2021507258.tif 000003
【図２】
2021507258.tif 000004
【図３】
2021507258.tif 000005
【図４Ａ】
2021507258.tif 000006
【図４Ｂ】
2021507258.tif 000007
【図４Ｃ】
2021507258.tif 000008
【図５】
2021507258.tif 000009
【図６】
2021507258.tif 000010
【図７】
2021507258.tif 000011
【図８】
2021507258.tif 000012
【国際調査報告】
2021507258.tif 000013